(57)【要約】【課題】利用者が伏臥状態で利用する際、顔面の圧迫を軽減する通気孔を容易に形成することができるようにしたマットレス装置を提供することにある。【解決手段】スプリングユニット１と、スプリングユニットの上面の全体にわたって設けられ長手方向一端に第１の通気孔８が形成された上部弾性シート４と、スプリングユニットの下面の全体にわたって設けられた下部弾性シート５と、スプリングユニットの長手方向一端部の上面に上部弾性シートに積層されて設けられ第１の通気孔と対向する第２の通気孔９が形成された枕用弾性シート７と、スプリングユニット、上部弾性シート及び下部弾性シートの積層体を被覆し少なくとも枕用弾性シートに対応する部分が伸縮性を有する布地で形成された外装地１１と、外装地の第１、第２の通気孔に対応する部分を第１、第２の通気孔の内周面に沿わせて伸長させて保持する枠体１２を具備する。【選択図】      図３
2010022759.tif 000002
【特許請求の範囲】
【請求項１】
クッション体と、
このクッション体の上面の全体にわたって設けられ長手方向一端に第１の通気孔が形成された上部弾性シートと、
上記クッション体の下面の全体にわたって設けられた下部弾性シートと、
上記クッション体の長手方向一端部の上面に上記上部弾性シートに積層されて設けられ上記第１の通気孔と対向する第２の通気孔が形成された枕用弾性シートと、
上記クッション体、上部弾性シート及び下部弾性シートの積層体を被覆し少なくとも上記枕用弾性シートに対応する部分が伸縮性を有する布地で形成された外装地と、
この外装地の上記第１、第２の通気孔に対応する部分を上記第１、第２の通気孔の内周面に沿わせて伸長させて保持する保持手段と
を具備したことを特徴とするマットレス装置。
【請求項２】
上記保持手段は、上記第１、第２の通気孔の平面形状に対応する大きさで、上記外装体を伸長させながら上記第１、第２の通気孔の内部に押し込まれる枠体と、上記第１、第２の通気孔に押し込まれた上記枠体を上記クッション体に連結固定する連結部材とによって構成されていることを特徴とする請求項１記載のマットレス装置。
【請求項３】
上記枕用弾性シートは、上記上部弾性シートよりも柔らかい弾性材によって形成されていて、上記クッション体の上面と上記上部弾性シートの間に設けられていることを特徴とする請求項１記載のマットレス装置。
【請求項４】
上記クッション体はスプリングユニットであることを特徴とする請求項１乃至請求項３のいずれかに記載のマットレス装置。
【発明の詳細な説明】
【技術分野】
【０００１】
この発明は利用者が下を向いた伏臥状態で就寝したり、背面にマッサージを受ける場合などに好適するマットレス装置に関する。
【背景技術】
【０００２】
マットレス装置を利用して就寝する場合、利用者によっては上を向いた仰臥状態よりも、下を向いた伏臥状態で就寝することを好む場合があり、またマットレス装置上で身体の背面にマッサージを受ける場合、利用者は伏臥姿勢をとることになる。
【０００３】
利用者がマットレス装置上で伏臥姿勢をとると、顔面がマットレス装置の上面によって圧迫されるため不快であったり、呼吸がし難くなるなどのことがある。
【０００４】
そこで、利用者が伏臥姿勢をとったときに、顔面が圧迫されることがないようにするため、特許文献１に示す構成のマットレス装置が提案されている。このマットレス装置はクッション体の長手方向の一端部に、厚さ方向に貫通する貫通孔を穿設し、利用者が伏臥姿勢をとるときに、顔面の鼻と口の部分を上記貫通孔内に位置させることで、呼吸がし難くなるのを防止するようにしている。
【特許文献１】特開２００８−３５９７０号公報
【発明の開示】
【発明が解決しようとする課題】
【０００５】
特許文献１に示されるように、クッション体の長手方向一端部に貫通孔を形成すれば、利用者が伏臥姿勢をとるときに、その貫通孔によって利用者が呼吸し難くなるのを防止することができる。
【０００６】
しかしながら、通常のマットレス装置に用いられるクッション体には貫通孔が形成されていないから、クッション体に貫通孔をわざわざ形成しなければならないことになる。そのため、クッション体に貫通孔を形成するのに多くの手間が掛かるということがある。
【０００７】
しかも、クッション体がウレタンフォームなどの発泡弾性材であれば、貫通孔を形成することは比較的容易であるが、クッション体がスプリングユニットの場合にはばねの一部を除去するなどして形成しなければならないから、貫通孔を形成するに非常に多くの手間が掛かるということがある。
【０００８】
さらに、クッション体に貫通孔を形成すると、その貫通孔が外部に露出することになる。そのため、貫通孔の内周面をクッション体と同様、外装体で被覆しなければならない。その場合、クッション体を被覆した外装地をそのまま利用して貫通孔の内周面を被覆するということができないから、外装地とは別の布地を用いて被覆し、その布地を外装地と一体となるよう縫合しなければならず、そのことによっても多くの手間が掛かるということもある。
【０００９】
この発明は、クッション体に貫通孔を形成せずに、利用者が伏臥姿勢で利用する場合に、顔面が圧迫されて呼吸がし難くなることがないようにしたマットレス装置を提供することにある。
【課題を解決するための手段】
【００１０】
この発明は、クッション体と、
このクッション体の上面の全体にわたって設けられ長手方向一端に第１の通気孔が形成された上部弾性シートと、
上記クッション体の下面の全体にわたって設けられた下部弾性シートと、
上記クッション体の長手方向一端部の上面に上記上部弾性シートに積層されて設けられ上記第１の通気孔と対向する第２の通気孔が形成された枕用弾性シートと、
上記クッション体、上部弾性シート及び下部弾性シートの積層体を被覆し少なくとも上記枕用弾性シートに対応する部分が伸縮性を有する布地で形成された外装地と、
この外装地の上記第１、第２の通気孔に対応する部分を上記第１、第２の通気孔の内周面に沿わせて伸長させて保持する保持手段と
を具備したことを特徴とするマットレス装置にある。
【００１１】
上記保持手段は、上記第１、第２の通気孔の平面形状に対応する大きさで、上記外装体を伸長させながら上記第１、第２の通気孔の内部に押し込まれる枠体と、上記第１、第２の通気孔に押し込まれた上記枠体を上記クッション体に連結固定する連結部材とによって構成されていることが好ましい。
【００１２】
上記枕用弾性シートは、上記上部弾性シートよりも柔らかい弾性材によって形成されていて、上記クッション体の上面と上記上部弾性シートの間に設けられていることが好ましい。
【００１３】
上記クッション体はスプリングユニットであることが好ましい。
【発明の効果】
【００１４】
この発明によれば、上部弾性シートが積層されるクッション体の長手方向一端部の上面に枕用弾性シートを設け、上記上部弾性シートと枕用弾性シートに通気孔を形成する一方、外装体を伸縮性を有する布地で形成し、その外装体を上記通気孔の内周面に沿わせて伸長させ、その状態で保持するようにした。
【００１５】
そのため、利用者が伏臥姿勢をとるとき、上部弾性シートと枕用弾性シートに形成された通気孔によって顔面が圧迫されるのを防止することができるから、クッション体に通気孔を形成せずにすみ、しかも外装体の通気孔に対応する部分を、この通気孔内へ伸長させて保持することで、通気孔の内周面を容易に被覆することが可能となる。
【発明を実施するための最良の形態】
【００１６】
以下、この発明の一実施の形態を図面を参照しながら説明する。
【００１７】
図１はマットレス装置の一部断面した平面図で、図２は同じく一部断面した側面図である。図２と図３に示すように、マットレス装置はクッション体としてのスプリングユニット１を備えている。このスプリングユニット１は複数のばね体３（１つのみ図示）を並設して平面形状が矩形状に形成されている。上記ばね体３は、１本の線材によって複数のコイル部２が軸線をほぼ平行になるよう連続して形成されている。
【００１８】
上記スプリングユニット１の上面には、この上面とほぼ同じ大きさの上部弾性シート４が通気性を有する圧縮綿などの保護シート６ａを介して積層され、下面には同じくこの下面と同じ大きさの下部弾性シート５が保護シート６ｂを介して積層されている。各弾性シート４、５はたとえば比較的柔らかなウレタンフォームなどによって形成されている。
【００１９】
上記スプリングユニット１の上面の長手方向一端部で、その上面と上記上部弾性シート４の間には、図１に示すようにスプリングユニット１の幅寸法よりも小さな幅寸法で、平面形状が矩形状の枕用弾性シート７が設けられている。この枕用弾性シート７は、たとえばチップウレタンなどによって上記上部弾性シート４よりも硬い弾性材料で形成されている。
【００２０】
上記上部弾性シート４の、上記枕用弾性シート７の中心部分に対応する部位には、スプリングユニット１の幅方向に沿って長尺な楕円形状の第１の通気孔８が厚さ方向に貫通して形成されている。上記枕用弾性シート７の中心部分に上記第１の通気孔８と対応する部位に厚さ方向に貫通する第２の通気孔９が同じ形状で形成されている。
【００２１】
上記スプリングユニット１と、各弾性シート４、５の積層体は袋状に縫製された外装地１１によって被覆されている。この外装地１１はスプリングユニット１の上面側に設けられる上鏡地１１ａ、下面側に設けられる下鏡地１１ｂ及び外周面に設けられて上下端が上記各鏡地１１ａ，１１ｂの周縁部に縫合されたまち地１１ｃからなる。そして、この外装地１１の少なくとも上記枕用弾性シート７に対向する部分、この実施の形態では上鏡地１１ａ全体が伸縮性を備えた布地によって形成されている。
【００２２】
上記上鏡地１１ａの上記第１、第２の通気孔８，９に対向する部分は保持手段としての枠体１２によって上記第１、第２の通気孔８，９の内部に引き伸ばされる。それによって、上記上鏡地１１ａの上記枠体１２によって引き伸ばされた部分は上記通気孔８，９の内周面を被覆している。
【００２３】
上記上鏡地１１ａを引き伸ばした枠体１２は、図４（ａ）、（ｂ）に示すように、上記各通孔８、９の平面形状とほぼ同じ楕円形状に形成されていて、その長軸方向の中途部には端軸方向に沿って円弧状に湾曲した取付け杆１３が両端を固定して設けられている。この取付け杆１３にはＶ字状の係着部材１４が設けられ、この係着部材１４には図３に示すように連結部材としての連結紐１５の一端が連結固定されている。
【００２４】
上記連結紐１５の他端はスプリングユニット１の下面に導かれ、そこで釦１６に連結されて保持されている。それによって、上記枠体１２は、上記連結紐１５によって上鏡地１１ａの一部を図３に示すように第１、第２の通気孔８、９内に引き伸ばした状態で、上記スプリングユニット１の上面に保持されている。
【００２５】
つまり、外装地１１を形成する上鏡地１１ａに伸縮性を有する布地を用いたことで、この上鏡地１１ａの上記第１、第２の通気孔８、９に対向する部分を枠体１２によって第１、第２の通気孔８、９の内部へ引き伸ばすことで、これら通気孔８、９の内周面を被覆することができる。
【００２６】
このような構成のマットレス装置によれば、利用者がマットレス装置５の上面に伏臥する場合、顔面を上記マットレス装置の長手方向の一端部の上面に開口した第１、第２の通気孔８，９の部分に押し当てる。つまり、通気孔８，９内に鼻と口とが位置するよう、顔面を押し当てる。それによって、利用者は伏臥した状態であっても、顔面が圧迫されたり、呼吸がし難くなるということがない。
【００２７】
しかも、マットレス装置はクッション体がスプリングユニット１によって構成されている。スプリングユニット１はウレタンフォームで形成されたクッション体に比べて通気性が大きいから、利用者が顔面を第１、第２の通気孔８，９の部分に押し当てても、息がし難くなることがない。
【００２８】
上記通気孔８，９は上部弾性シート４と、この上部弾性シート４とスプリングユニット１の上面との間に設けられた枕用弾性シート７に形成するようにした。そのため、スプリングユニット１に通気孔を形成せずにすむから、従来のマットレス装置のスプリングユニット１を加工せずに利用することができる。つまり、通気孔８，９を容易に形成することができる。
【００２９】
外装地１１の上鏡地１１ａに伸縮性を有する布地を用いたことで、この上鏡地１１ａを枠体１２によって第１、第２の通気孔８、９内に伸長させ、その状態で上記枠体１２を連結紐１５でスプリングユニット１に保持することで、上記第１、第２の通気孔８、９の内周面を上記上鏡地１１ａによって被覆することができる。
【００３０】
つまり、外装地１１を形成する上鏡地１１ａを利用して第１、第２の通気孔８、９の内周面を被覆することができるから、その被覆を上鏡地１１ａと別の布地を用いて被覆する場合に比べて容易に行なうことができる。
【００３１】
スプリングユニット１の上面の長手方向一端部に第２の通気孔９が形成された枕用弾性シート７を設けたことで、利用者が伏臥状態から横方向に寝返りを打ったときなど、上記枕用弾性シート７によって利用者の頭部を所定の高さで支えることができる。つまり、枕用弾性シート７を枕としても利用することができる。しかも、枕用弾性シート７は上部弾性シート４に比べて硬質な弾性材によって形成したから、この枕用弾性シート７の硬さによって枕としての利用者の頭部の支持性能を得ることができ、上部弾性シート４の柔らかさによって心地用感触を得ることができる。
【００３２】
上記外装地１１は、通常、図示しないファスナによって開閉可能な袋状に形成されている。そのため、外装地１１の上鏡地１１ａを伸長させて保持した枠体１２を取り外し、ついで外装地１１を開いて枕用弾性シート７を抜き出し、上部弾性シート４の第１の通気孔８が形成された部分に枕を置くようにすれば、通常のマットレス装置として利用することができる。
【図面の簡単な説明】
【００３３】
【図１】この一実施の形態を示すマットレス装置の一部断面した平面図。
【図２】図１に示すマットレス装置の一部断面下側面図。
【図３】マットレス装置の長手方向一端部の拡大断面図。
【図４】（ａ）は枠体の側面図、（ｂ）は平面図。
【符号の説明】
【００３４】
１…スプリングユニット（クッション体）、４…上部弾性シート、５…下部弾性シート、７…枕用弾性シート、８…第１の通気孔、９…第２の通気孔、１１…外装地、１２…枠体（保持手段）、１５…連結紐（保持手段）、１６…釦（保持手段）。
【図１】
2010022759.tif 000003
【図２】
2010022759.tif 000004
【図３】
2010022759.tif 000005
【図４】
2010022759.tif 000006